【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
被検体に光を照射する照射部と、
前記被検体を通過し前記被検体外部へ放出される受光強度を検出する受光部と、
前記受光強度から、脂質の吸収カロリーを算出する制御部と、
を有する、吸収カロリー計測装置。
【請求項２】
前記制御部は、
空腹時の受光強度から、空腹時吸収カロリーを算出し、
飲食後の受光強度から、飲食後吸収カロリーを算出し、
前記空腹時吸収カロリーと前記飲食後吸収カロリーから、正味吸収カロリーを算出する、
ことを特徴とする請求項１に記載の吸収カロリー計測装置。
【請求項３】
空腹時ボタンと飲食後ボタンを表示する操作パネルと、
空腹時データエリアと飲食後データエリアと有する記憶部と、
をさらに有し、
前記制御部は、
前記空腹時ボタンが選択された場合には、前記空腹時吸収カロリーを前記空腹時データエリアに記憶し、
前記飲食後ボタンが選択された場合には、前記飲食後吸収カロリーを前記飲食後データエリアに記憶する、
ことを特徴とする請求項２に記載の吸収カロリー計測装置。
【請求項４】
前記制御部は、
前記空腹時吸収カロリーと前記飲食後吸収カロリーの差から、前記正味吸収カロリーを算出することを特徴とする請求項２または３に記載の吸収カロリー計測装置。
【請求項５】
前記記憶部は、
予め得られた受光強度と吸収カロリーとの統計データを記憶し、
前記制御部は、
前記記憶部に記憶した前記統計データに基づいて、前記受光強度から前記空腹時吸収カロリー及び前記飲食後吸収カロリーを算出する、ことを特徴とする請求項３に記載の吸収カロリー計測装置。
【請求項６】
前記照射部は、照射する光が可視光であることを特徴とする、請求項１から５のいずれかに記載の吸収カロリー計測装置。
【請求項７】
被検体に光を照射する照射部と、前記被検体を通過し前記被検体外部へ放出される受光強度を検出する受光部と、を有する吸収カロリー計測装置のコンピュータに、
前記受光強度から、脂質の吸収カロリーを算出する処理を、
実行させる吸収カロリー計測プログラム。
【請求項８】
被検体に光を照射する照射部と、前記被検体を通過し前記被検体外部へ放出される受光強度を検出する受光部と、を有する吸収カロリー計測装置のコンピュータが、
前記受光強度から、脂質の吸収カロリーを算出する処理を、
行う吸収カロリー計測方法。
【請求項９】
被検体に光を照射する照射部と、前記被検体を通過し前記被検体外部へ放出される受光強度を検出する受光部と、を有する携帯端末に接続した吸収カロリー計測装置であって、
前記受光強度から、脂質の吸収カロリーを算出する制御部を有する、吸収カロリー計測装置。
【請求項１０】
前記制御部は、
空腹時の受光強度から、空腹時吸収カロリーを算出し、
飲食後の受光強度から、飲食後吸収カロリーを算出し、
前記空腹時吸収カロリーと前記飲食後吸収カロリーから、正味吸収カロリーを算出することを特徴とする請求項９に記載の吸収カロリー計測装置。
【請求項１１】
前記携帯端末は、空腹時ボタンと飲食後ボタンを表示する操作パネルをさらに有し、
前記吸収カロリー計測装置は、空腹時データエリアと飲食後データエリアと有する記憶部、をさらに有し、
前記制御部は、
前記空腹時ボタンが選択された場合には、前記空腹時吸収カロリーを前記空腹時データエリアに記憶し、
前記飲食後ボタンが選択された場合には、前記飲食後吸収カロリーを前記飲食後データエリアに記憶する、
ことを特徴とする請求項１０に記載の吸収カロリー計測装置。
【請求項１２】
前記制御部は、
前記空腹時吸収カロリーと前記飲食後吸収カロリーの差から、前記正味吸収カロリーを算出することを特徴とする請求項１０または１１に記載の吸収カロリー計測装置。
【請求項１３】
前記記憶部は、
予め得られた受光強度と吸収カロリーとの統計データを記憶し、
前記制御部は
前記記憶部に記憶した前記統計データに基づいて、前記受光強度から前記空腹時吸収カロリー及び前記飲食後吸収カロリーを算出する、ことを特徴とする請求項１１に記載の吸収カロリー計測装置。
【請求項１４】
前記照射部は、照射する光が可視光であることを特徴とする、請求項９から１３に記載の吸収カロリー計測装置。
【請求項１５】
被検体に光を照射する照射部と、前記被検体を通過し前記被検体外部へ放出される受光強度を検出する受光部と、を有する携帯端末に接続した吸収カロリー計測装置のコンピュータに、
前記受光強度から、脂質の吸収カロリーを算出する処理を実行させる吸収カロリー計測プログラム。
【請求項１６】
被検体に光を照射する照射部と、前記被検体を通過し前記被検体外部へ放出される受光強度を検出する受光部と、を有する携帯端末に接続した吸収カロリー計測装置のコンピュータが、
前記受光強度から、脂質の吸収カロリーを算出する処理を行う吸収カロリー計測方法。
【手続補正２】
【補正対象書類名】明細書
【補正対象項目名】０００８
【補正方法】変更
【補正の内容】
【０００８】
本発明は、被検体に光を照射する照射部と、被検体を通過し被検体外部へ放出される受光強度を検出する受光部と、受光強度から、脂質の吸収カロリーを算出する制御部と、を有する吸収カロリー計測装置である。
【手続補正３】
【補正対象書類名】明細書
【補正対象項目名】０００９
【補正方法】変更
【補正の内容】
【０００９】
また、本発明は、被検体に光を照射する照射部と、被検体を通過し被検体外部へ放出される受光強度を検出する受光部と、を有する吸収カロリー計測装置のコンピュータに、受光強度から、脂質の吸収カロリーを算出する処理を実行させる吸収カロリー計測プログラムである。
【手続補正４】
【補正対象書類名】明細書
【補正対象項目名】００１０
【補正方法】変更
【補正の内容】
【００１０】
また、本発明は、被検体に光を照射する照射部と、被検体を通過し被検体外部へ放出される受光強度を検出する受光部と、を有する吸収カロリー計測装置のコンピュータが、受光強度から、脂質の吸収カロリーを算出する処理を行う吸収カロリー計測方法である。
【手続補正５】
【補正対象書類名】明細書
【補正対象項目名】００１１
【補正方法】変更
【補正の内容】
【００１１】
また、本発明は、被検体に光を照射する照射部と、被検体を通過し被検体外部へ放出される受光強度を検出する受光部と、を有する携帯端末に接続した吸収カロリー計測装置であって、受光強度から、脂質の吸収カロリーを算出する制御部を有する、吸収カロリー計測装置である。
【手続補正６】
【補正対象書類名】明細書
【補正対象項目名】００１２
【補正方法】変更
【補正の内容】
【００１２】
また、本発明は、被検体に光を照射する照射部と、被検体を通過し被検体外部へ放出される受光強度を検出する受光部と、を有する携帯端末に接続した吸収カロリー計測装置のコンピュータに、受光強度から、脂質の吸収カロリーを算出する処理を実行させる吸収カロリー計測プログラムである。
【手続補正７】
【補正対象書類名】明細書
【補正対象項目名】００１３
【補正方法】変更
【補正の内容】
【００１３】
また、本発明は、被検体に光を照射する照射部と、被検体を通過し被検体外部へ放出される受光強度を検出する受光部と、を有する携帯端末に接続した吸収カロリー計測装置のコンピュータが、受光強度から、脂質の吸収カロリーを算出する処理を行う吸収カロリー計測方法である。